(57)【要約】  本発明は、スマート機器の制御方法および装置に関し、スマートホーム分野に属する。前記方法は、１グループの作業モード情報を含む、指令送信機器から送信された制御指令を制御機器が受信するステップと、制御機器が、当該１グループの作業モード情報に基づいて、ＬＡＮを介して当該制御機器に接続された目標スマート機器の作業モードを設定するステップとを含み、当該１グループの作業モード情報は、少なくとも１種別のスマート機器の作業モード情報を含む。作業モード情報が指令送信機器に予め記憶されたため、ユーザがスマート機器の作業モードを設定しようとするとき、関連する制御指令を指令送信機器を介して制御機器へ送信するだけで、制御機器は、作業モードの設定を自動的に実施できる。これにより、ユーザの設定操作が簡素化され、ユーザ体験が向上する。
2017538298.tif 000002
【特許請求の範囲】
【請求項１】
１グループの作業モード情報を含む、指令送信機器から送信された制御指令を制御機器が受信するステップと、
前記制御機器が前記１グループの作業モード情報に基づいて目標スマート機器の作業モードを設定するステップと、を含み、
各種別のスマート機器は、１つの作業モード情報に対応し、前記１グループの作業モード情報は、少なくとも１種別のスマート機器の作業モード情報を含み、前記作業モード情報は、予め前記指令送信機器に記憶された情報であり、前記目標スマート機器は、ＬＡＮを介して前記制御機器と接続されているスマート機器であることを特徴とするスマート機器の制御方法。
【請求項２】
前記指令送信機器から送信された制御指令を受信する前に、前記制御機器が前記制御機器に接続された各スマート機器を検索するステップと、
前記制御機器が前記制御機器に接続された各スマート機器の識別子を前記指令送信機器へ送信するステップと、をさらに含むことを特徴とする請求項１に記載のスマート機器の制御方法。
【請求項３】
前記作業モード情報に基づいて前記目標スマート機器の作業モードを設定する前に、前記目標スマート機器の作業モードを設定する権限が前記制御機器にあるか否かを、前記制御機器が検出するステップと、
前記目標スマート機器の作業モードを設定する権限が前記制御機器にある場合、前記制御機器が前記作業モード情報に基づいて前記目標スマート機器の作業モードを設定するステップと、をさらに含むことを特徴とする請求項１に記載のスマート機器の制御方法。
【請求項４】
前記制御機器は、ルータであり、前記指令送信機器は、サーバまたはユーザ端末であることを特徴とする請求項１に記載のスマート機器の制御方法。
【請求項５】
スマート機器の作業モードを設定する旨の指令を指令送信機器が受信するステップと、
制御機器が１グループの作業モード情報に基づいて目標スマート機器の作業モードを設定するように、前記指令送信機器が前記１グループの作業モード情報を含む制御指令を前記制御機器へ送信するステップと、を含み、
各種別のスマート機器は、１つの作業モード情報に対応し、前記１グループの作業モード情報は、少なくとも１種別のスマート機器の作業モード情報を含み、前記目標スマート機器は、ＬＡＮを介して前記制御機器と接続されているスマート機器であることを特徴とするスマート機器の制御方法。
【請求項６】
目標スマート機器の作業モードを設定する旨の指令を受信する前に、前記指令送信機器がモード情報設定インターフェースをディスプレイするステップと、
前記指令送信機器が前記モード情報設定インターフェースにおいて設定された異なる各種別のスマート機器の作業モード情報を受信し、ユーザによって設定された異なる各種別のスマート機器の作業モードを記録するステップと、をさらに含むことを特徴とする請求項５に記載のスマート機器の制御方法。
【請求項７】
前記指令送信機器が前記１グループの作業モード情報を含む制御指令を前記制御機器へ送信する前に、
前記制御機器から送信された、前記制御機器に接続された各スマート機器の識別子を前記指令送信機器が受信するステップと、
前記指令送信機器が、受信した各スマート機器の識別子に基づいて、前記制御機器に接続されたスマート機器の種別を特定するステップと、
前記指令送信機器が、前記制御機器に接続された各スマート機器の種別に対応する作業モード情報を１グループの作業モード情報として統合するステップと、を含むことを特徴とする請求項６に記載のスマート機器の制御方法。
【請求項８】
前記制御機器は、ルータであり、前記指令送信機器は、サーバまたはユーザ端末であることを特徴とする請求項５に記載のスマート機器の制御方法。
【請求項９】
制御機器における、スマート機器の制御装置であって、
１グループの作業モード情報を含む、指令送信機器から送信された制御指令を受信するための第１指令受信モジュールと、
前記１グループの作業モード情報に基づいて、目標スマート機器の作業モードを設定するための制御モジュールと、を備え、
各種別のスマート機器は、１つの作業モード情報に対応し、前記１グループの作業モード情報は、少なくとも１種別のスマート機器の作業モード情報を含み、前記作業モード情報は、予め前記指令送信機器に記憶された情報であり、前記目標スマート機器は、ＬＡＮを介して前記制御機器と接続されているスマート機器であることを特徴とするスマート機器の制御装置。
【請求項１０】
前記指令送信機器からの制御指令が前記第１指令受信モジュールによって受信される前に、前記制御機器に接続された各スマート機器を検索するための機器検索モジュールと、
前記制御機器に接続された各スマート機器の識別子を前記指令送信機器へ送信するための識別子送信モジュールと、をさらに備えることを特徴とする請求項９に記載のスマート機器の制御装置。
【請求項１１】
前記制御モジュールが前記作業モード情報に基づいて前記目標スマート機器の作業モードを設定する前に、前記目標スマート機器の作業モードを設定する権限が前記制御機器にあるか否かを検出するための権限検出モジュールをさらに備え、
前記制御モジュールは、前記目標スマート機器の作業モードを設定する権限が前記制御機器にあることを前記権限検出モジュールによって検出された場合、前記作業モード情報に基づいて前記目標スマート機器の作業モードを設定することを特徴とする請求項９に記載のスマート機器の制御装置。
【請求項１２】
前記制御機器は、ルータであり、前記指令送信機器は、サーバまたはユーザ端末であることを特徴とする請求項９に記載のスマート機器の制御装置。
【請求項１３】
指令送信機器における、スマート機器の制御装置であって、
スマート機器の作業モードを設定する旨の指令を受信するための第２指令受信モジュールと、
制御機器が１グループの作業モード情報に基づいて目標スマート機器の作業モードを設定するように、前記１グループの作業モード情報を含む制御指令を前記制御機器へ送信するための指令送信モジュールと、を備え、
各種別のスマート機器は、１つの作業モード情報に対応し、前記１グループの作業モード情報は、少なくとも１種別のスマート機器の作業モード情報を含み、前記目標スマート機器は、ＬＡＮを介して前記制御機器と接続されているスマート機器であることを特徴とするスマート機器の制御装置。
【請求項１４】
目標スマート機器の作業モードを設定する旨の指令が前記第２指令受信モジュールによって受信される前に、モード情報設定インターフェースをディスプレイするためのインターフェースディスプレイモジュールと、
前記モード情報設定インターフェースにおいて設定された異なる各種別のスマート機器の作業モード情報を受信し、ユーザによって設定された異なる各種別のスマート機器の作業モードを記録するための情報受信モジュールと、をさらに備えることを特徴とする請求項１３に記載のスマート機器の制御装置。
【請求項１５】
前記指令送信モジュールが前記目標スマート機器の作業モード情報を含む制御指令を前記制御機器へ送信する前に、前記制御機器から送信された、前記制御機器に接続された各スマート機器の識別子を受信するための識別子受信モジュールと、
前記識別子受信モジュールによって受信された各スマート機器の識別子に基づいて、前記制御機器に接続されたスマート機器の種別を特定するための種別特定モジュールと、
前記制御機器に接続された各スマート機器の種別に対応する作業モード情報を１グループの作業モード情報として統合するための情報統合モジュールと、をさらに備えることを特徴とする請求項１４に記載のスマート機器の制御装置。
【請求項１６】
前記制御機器は、ルータであり、前記指令送信機器は、サーバまたはユーザ端末であることを特徴とする請求項１３に記載のスマート機器の制御装置。
【請求項１７】
制御機器における、スマート機器の制御装置であって、
プロセッサと、
前記プロセッサの実行可能な指令を記憶するためのメモリとを備え、
前記プロセッサは、
１グループの作業モード情報を含む、指令送信機器から送信された制御指令を受信し、
前記１グループの作業モード情報に基づいて目標スマート機器の作業モードを設定するように構成され、
各種別のスマート機器は、１つの作業モード情報に対応し、前記１グループの作業モード情報は、少なくとも１種別のスマート機器の作業モード情報を含み、前記作業モード情報は、予め前記指令送信機器に記憶された情報であり、前記目標スマート機器は、ＬＡＮを介して前記制御機器と接続されているスマート機器であることを特徴とするスマート機器の制御装置。
【請求項１８】
指令送信機器における、スマート機器の制御装置であって、
プロセッサと、
前記プロセッサの実行可能な指令を記憶するためのメモリとを備え、
前記プロセッサは、
スマート機器の作業モードを設定する旨の指令を受信し、
制御機器が１グループの作業モード情報に基づいて目標スマート機器の作業モードを設定するように、前記１グループの作業モード情報を含む制御指令を前記制御機器へ送信するように構成され、
各種別のスマート機器は、１つの作業モード情報に対応し、前記１グループの作業モード情報は、少なくとも１種別のスマート機器の作業モード情報を含み、前記目標スマート機器は、ＬＡＮを介して前記制御機器と接続されているスマート機器であることを特徴とするスマート機器の制御装置。
【発明の詳細な説明】
【技術分野】
【０００１】
本発明は、スマートホーム分野に関し、特にスマート機器の制御方法および装置に関する。
【背景技術】
【０００２】
スマートホーム分野の継続的な発展に伴い、作業モードのユーザ定義をサポートすることは、スマートホーム機器の不可欠な機能の一つになる。
【０００３】
関連技術において、ユーザは、スマート機器の作業モードに対してユーザ定義しようとするとき、当該スマート機器のリモコンを介して設定し、または、スマート機器の操作パネル上に設定してもよい。ユーザが新たな環境に入った場合、または、元の環境におけるスマート機器の作業モードが他の人によって変更されたためユーザが元の作業モードに復元しようとする場合には、いずれもユーザが手動でスマート機器の作業モードに対して設定する必要がある。
【発明の概要】
【発明が解決しようとする課題】
【０００４】
本発明の実施例は、スマート機器の制御方法および装置を提供する。前記技術案は、下記の通りである。
【課題を解決するための手段】
【０００５】
本発明の実施例の第１態様によれば、スマート機器の制御方法を提供する。前記方法は、
１グループの作業モード情報を含む、指令送信機器から送信された制御指令を制御機器が受信するステップと、
前記制御機器が前記１グループの作業モード情報に基づいて目標スマート機器の作業モードを設定するステップとを含み、
各種別のスマート機器は、１つの作業モード情報に対応し、前記１グループの作業モード情報は、少なくとも１種別のスマート機器の作業モード情報を含み、前記作業モード情報は、前記予め指令送信機器に記憶された情報であり、前記目標スマート機器は、ＬＡＮを介して前記制御機器と接続されているスマート機器である。
【０００６】
好ましくは、前記方法は、さらに、
前記指令送信機器から送信された制御指令を受信する前に、前記制御機器が前記制御機器に接続された各スマート機器を検索するステップと、
前記制御機器が前記制御機器に接続された各スマート機器の識別子を前記指令送信機器へ送信するステップとを含む。
【０００７】
好ましくは、前記方法は、さらに、
前記作業モード情報に基づいて前記目標スマート機器の作業モードを設定する前に、前記目標スマート機器の作業モードを設定する権限が前記制御機器にあるか否かを、前記制御機器が検出するステップと、
前記目標スマート機器の作業モードを設定する権限が前記制御機器にある場合、前記制御機器が前記作業モード情報に基づいて前記目標スマート機器の作業モードを設定するステップとを含む。
【０００８】
好ましくは、前記制御機器は、ルータであり、前記指令送信機器は、サーバまたはユーザ端末である。
【０００９】
本発明の実施例の第２態様によれば、スマート機器の制御方法を提供する。前記方法は、指令送信機器に用いられ、
スマート機器の作業モードを設定する旨の指令を指令送信機器が受信するステップと、
制御機器が１グループの作業モード情報に基づいて目標スマート機器の作業モードを設定するように、前記指令送信機器が、前記１グループの作業モード情報を含む制御指令を前記制御機器へ送信するステップとを含み、
各種別のスマート機器は、１つの作業モード情報に対応し、前記１グループの作業モード情報は、少なくとも１種別のスマート機器の作業モード情報を含み、前記目標スマート機器は、ＬＡＮを介して前記制御機器と接続されているスマート機器である。
【００１０】
好ましくは、前記方法は、さらに、
目標スマート機器の作業モードを設定する旨の指令を受信する前に、前記指令送信機器がモード情報設定インターフェースをディスプレイするステップと、
前記指令送信機器が前記モード情報設定インターフェースにおいて設定された異なる各種別のスマート機器の作業モード情報を受信し、ユーザによって設定された異なる各種別のスマート機器の作業モードを記録するステップとを含む。
【００１１】
好ましくは、前記指令送信機器が前記１グループの作業モード情報を含む制御指令を前記制御機器へ送信する前に、
前記制御機器から送信された、前記制御機器に接続された各スマート機器の識別子を前記指令送信機器が受信するステップと、
前記指令送信機器が、受信した各スマート機器の識別子に基づいて、前記制御機器に接続されたスマート機器の種別を特定するステップと、
前記指令送信機器が、前記制御機器に接続された各スマート機器の種別に対応する作業モード情報を１グループの作業モード情報として統合するステップとを含む。
【００１２】
好ましくは、前記制御機器は、ルータであり、前記指令送信機器は、サーバまたはユーザ端末である。
【００１３】
本発明の実施例の第３態様によれば、制御機器における、スマート機器の制御装置を提供する。
前記装置は、
１グループの作業モード情報を含む、指令送信機器から送信された制御指令を受信するための第１指令受信モジュールと、
前記１グループの作業モード情報に基づいて、目標スマート機器の作業モードを設定するための制御モジュールとを備え、
各種別のスマート機器は、１つの作業モード情報に対応し、前記１グループの作業モード情報は、少なくとも１種別のスマート機器の作業モード情報を含み、前記作業モード情報は、前記予め指令送信機器に記憶された情報であり、前記目標スマート機器は、ＬＡＮを介して前記制御機器と接続されているスマート機器である。
【００１４】
好ましくは、前記装置は、さらに、
前記指令送信機器からの制御指令が前記第１指令受信モジュールによって受信される前に、前記制御機器に接続された各スマート機器を検索するための機器検索モジュールと、
前記制御機器に接続された各スマート機器の識別子を前記指令送信機器へ送信するための識別子送信モジュールとを備える。
【００１５】
好ましくは、前記装置は、さらに、
前記制御モジュールが前記作業モード情報に基づいて前記目標スマート機器の作業モードを設定する前に、前記目標スマート機器の作業モードを設定する権限が前記制御機器にあるか否かを検出するための権限検出モジュールと、
前記目標スマート機器の作業モードを設定する権限が前記制御機器にあることを前記権限検出モジュールによって検出された場合、前記作業モード情報に基づいて前記目標スマート機器の作業モードを設定するための前記制御モジュールとを備える。
【００１６】
好ましくは、前記制御機器は、ルータであり、前記指令送信機器は、サーバまたはユーザ端末である。
【００１７】
本発明の実施例の第４態様によれば、指令送信機器における、スマート機器の制御装置を提供する。
前記装置は、
スマート機器の作業モードを設定する旨の指令を受信するための第２指令受信モジュールと、
制御機器が１グループの作業モード情報に基づいて目標スマート機器の作業モードを設定するように、前記１グループの作業モード情報を含む制御指令を前記制御機器へ送信するための指令送信モジュールとを備え、
各種別のスマート機器は、１つの作業モード情報に対応し、前記１グループの作業モード情報は、少なくとも１種別のスマート機器の作業モード情報を含み、前記目標スマート機器は、ＬＡＮを介して前記制御機器と接続されているスマート機器である。
【００１８】
好ましくは、前記装置は、さらに、
目標スマート機器の作業モードを設定する旨の指令が前記第２指令受信モジュールによって受信される前に、モード情報設定インターフェースをディスプレイするためのインターフェースディスプレイモジュールと、
前記モード情報設定インターフェースにおいて設定された異なる各種別のスマート機器の作業モード情報を受信し、ユーザによって設定された異なる各種別のスマート機器の作業モードを記録するための情報受信モジュールとを備える。
【００１９】
好ましくは、前記装置は、さらに、
前記指令送信モジュールが前記目標スマート機器の作業モード情報を含む制御指令を前記制御機器へ送信する前に、前記制御機器から送信された、前記制御機器に接続された各スマート機器の識別子を受信するための識別子受信モジュールと、
前記識別子受信モジュールによって受信された各スマート機器の識別子に基づいて、前記制御機器に接続されたスマート機器の種別を特定するための種別特定モジュールと、
前記制御機器に接続された各スマート機器の種別に対応する作業モード情報を１グループの作業モード情報として統合するための情報統合モジュールとを備える。
【００２０】
好ましくは、前記制御機器は、ルータであり、前記指令送信機器は、サーバまたはユーザ端末である。
【００２１】
本発明の実施例の第５態様によれば、制御機器における、スマート機器の制御装置を提供する。
前記装置は、
プロセッサと、
前記プロセッサの実行可能な指令を記憶するためのメモリとを備え、
前記プロセッサは、
１グループの作業モード情報を含む、指令送信機器から送信された制御指令を受信し、
前記１グループの作業モード情報に基づいて目標スマート機器の作業モードを設定するように構成され、
各種別のスマート機器は、１つの作業モード情報に対応し、前記１グループの作業モード情報は、少なくとも１種別のスマート機器の作業モード情報を含み、前記作業モード情報は、前記予め指令送信機器に記憶された情報であり、前記目標スマート機器は、ＬＡＮを介して前記制御機器と接続されているスマート機器である。
【００２２】
本発明の実施例の第６態様によれば、指令送信機器における、スマート機器の制御装置を提供する。
前記装置は、
プロセッサと、
前記プロセッサの実行可能な指令を記憶するためのメモリとを備え、
前記プロセッサは、
スマート機器の作業モードを設定する旨の指令を受信し、
制御機器が１グループの作業モード情報に基づいて目標スマート機器の作業モードを設定するように、前記１グループの作業モード情報を含む制御指令を前記制御機器へ送信するように構成され、
各種別のスマート機器は、１つの作業モード情報に対応し、前記１グループの作業モード情報は、少なくとも１種別のスマート機器の作業モード情報を含み、前記目標スマート機器は、ＬＡＮを介して前記制御機器と接続されているスマート機器である。
【発明の効果】
【００２３】
本発明の実施例に供される技術案は、以下の格別な作用効果を奏することができる。
【００２４】
１グループの作業モード情報を含む、指令送信機器から送信された制御指令を制御機器が受信し、当該１グループの作業モード情報が少なくとも１種別のスマート機器の作業モード情報を含み、制御機器が、当該１グループの作業モード情報に基づいて、ＬＡＮを介して当該制御機器に接続された目標スマート機器の作業モードを設定し、且つ作業モード情報が指令送信機器に予め記憶されたため、ユーザがスマート機器の作業モードを設定しようとするとき、関連する制御指令を指令送信機器を介して制御機器へ送信するだけで、制御機器は、作業モードの設定を自動的に実施できる。これにより、ユーザの設定操作が簡素化され、ユーザ体験が向上する。
【００２５】
以上の一般的な記述および後述する詳細な説明は、例示的や解釈的なものであり、本発明を制限するためのものでないことは、理解されるべきである。
【図面の簡単な説明】
【００２６】
ここでの図面は、明細書を構成する一部として見なされ、本発明に適した実施例を示し、かつ、明細書の文字記載とともに本発明の仕組みを解釈するために用いられる。
【図１】本発明の実施例による実施環境の模式図である。
【図２】一実施例によるスマート機器の制御方法を示すフローチャートである。
【図３】一実施例によるスマート機器の制御方法を示すフローチャートである。
【図４Ａ】別の実施例によるスマート機器の制御方法を示すフローチャートである。
【図４Ｂ】一実施例による情報設定の模式図である。
【図５Ａ】さらに別の実施例によるスマート機器の制御方法を示すフローチャートである。
【図５Ｂ】さらに別の実施例による機器選択インターフェースの模式図である。
【図６】一実施例によるスマート機器の制御装置を示すブロック図である。
【図７】別の実施例によるスマート機器の制御装置を示すブロック図である。
【図８】一実施例によるスマート機器の制御装置を示すブロック図である。
【図９】別の実施例によるスマート機器の制御装置を示すブロック図である。
【図１０】一実施例による装置を示すブロック図である。
【図１１】一実施例による装置を示すブロック図である。
【発明を実施するための形態】
【００２７】
次に、実施例を詳細に説明し、例示が図に示されている。以下の記述が図に係る場合、別途にて示さない限り、異なる図面における同じ符号は、同じまたは類似する要素を示す。以下の実施例に記述される実施形態は、本発明と一致する全ての実施形態を代表するとは限らない。逆に、それらは、添付の特許請求の範囲に記載されているように、本発明の一部の態様と一致する装置および方法の例に過ぎない。
【００２８】
図１は、本発明の一部の実施例に示すスマート機器の制御方法に係る実施環境の模式図である。図１に示すように、当該実施環境は、制御機器１１０、指令送信機器１２０および少なくとも１つのスマート機器１３０を含んでもよい。
【００２９】
制御機器１１０は、指令送信機器１２０と少なくとも１つのスマート機器１３０とそれぞれ接続され、スマートルータ、ホームゲートウェイまたはホーム制御センター等であってもよい。
【００３０】
指令送信機器１２０は、ユーザ端末、例えばスマートフォン、タブレットＰＣまたは電子書籍リーダー等であってもよい。または、指令送信機器１２０は、ネットワークサーバとして実施されてもよい。当該ネットワークサーバは、ユーザ端末から送信されたデータまたは指令を受信することができる。
【００３１】
スマート機器１３０は、演算処理能力を有する各種のスマートホーム機器、例えばスマートテレビ、エアコン、テレビセットトップボックス、スマートカメラ、スマートランプ、スマートコンセント、空気清浄機および浄水器等であってもよい。
【００３２】
図２は、一実施例によるスマート機器の制御方法を示すフローチャートである。本実施例は、当該スマート機器の制御方法が上記図１に示す実施環境の制御機器１１０に用いられることを例として説明する。当該スマート機器の制御方法は、以下のステップを含んでもよい。
【００３３】
ステップ２０１では、１グループの作業モード情報を含む、指令送信機器から送信された制御指令を制御機器が受信する。ただし、各種別のスマート機器は、１つの作業モード情報に対応し、当該１グループの作業モード情報は、少なくとも１種別のスマート機器の作業モード情報を含む。
【００３４】
ただし、当該作業モード情報は、予め指令送信機器に記憶された情報である。
【００３５】
ステップ２０２では、その１グループの作業モード情報に基づいて目標スマート機器の作業モードを設定する。当該目標スマート機器は、ＬＡＮを介して当該制御機器に接続されているスマート機器である。
【００３６】
以上のように、本発明の実施例に示すスマート機器の制御方法では、１グループの作業モード情報を含む、指令送信機器から送信された制御指令を制御機器が受信し、当該１グループの作業モード情報が少なくとも１種別のスマート機器の作業モード情報を含み、制御機器が、当該１グループの作業モード情報に基づいて、ＬＡＮを介して当該制御機器に接続された目標スマート機器の作業モードを設定し、作業モード情報が指令送信機器に予め記憶されたため、ユーザがスマート機器の作業モードを設定しようとするとき、関連する制御指令を指令送信機器を介して制御機器へ送信するだけで、制御機器は、作業モードの設定を自動的に実施できる。これにより、ユーザの設定操作が簡素化され、ユーザ体験が向上する。
【００３７】
図３は、一実施例によるスマート機器の制御方法を示すフローチャートである。本実施例は、当該スマート機器の制御方法が上記図１に示す実施環境における指令送信機器１２０に適用されることを例として説明する。当該スマート機器の制御方法は、以下のステップを含んでもよい。
【００３８】
ステップ３０１では、スマート機器の作業モードを設定する旨の指令を指令送信機器が受信する。
【００３９】
ステップ３０２では、制御機器が１グループの作業モード情報に基づいて目標スマート機器の作業モードを設定するように、指令送信機器は、当該１グループの作業モード情報を含む制御指令を制御機器へ送信する。その中、各種別のスマート機器は、１つの作業モード情報に対応し、当該１グループの作業モード情報は、少なくとも１種別のスマート機器の作業モード情報を含む。
【００４０】
ただし、当該目標スマート機器とは、ＬＡＮを介して制御機器に接続されているスマート機器を指す。
【００４１】
以上のように、本発明の実施例に示すスマート機器の制御方法では、指令送信機器が１グループの作業モード情報を含む制御指令を制御機器へ送信し、当該１グループの作業モード情報が少なくとも１種別のスマート機器の作業モード情報を含み、制御機器が、当該１グループの作業モード情報に基づいて、ＬＡＮを介して当該制御機器に接続された目標スマート機器の作業モードを設定し、作業モード情報が指令送信機器に予め記憶されたため、ユーザがスマート機器の作業モードを設定しようとするとき、関連する制御指令を指令送信機器を介して制御機器へ送信するだけで、制御機器は、作業モードの設定を自動的に実施できる。これにより、ユーザの設定操作が簡素化され、ユーザ体験が向上する。
【００４２】
図４Ａは、別の実施例による一種スマート機器の制御方法を示すフローチャートである。本実施例は、当該スマート機器の制御方法が図１に示す実施環境に適用され、且つ指令送信機器１２０がサーバであることを例として説明する。当該スマート機器の制御方法は、以下の幾つかのステップを含んでもよい。
【００４３】
ステップＳ４０１では、ユーザ端末は、モード情報設定インターフェースをディスプレイする。
【００４４】
ユーザは、各種のスマート機器の作業モード情報をユーザ端末において予め設定してもよい。例えば、図４Ｂは、情報設定模式図を示す。図４Ｂに示すように、ユーザ端末が指定のＡＰＰ（Ａｐｐｌｉｃａｔｉｏｎ、アプリケーションプログラム）をインストールした後、ユーザは、当該ＡＰＰを開いてモード情報設定メインインターフェース４１をディスプレイしてもよい。当該メインインターフェース４１には、各スマート機器種別、例えば、空気清浄機、スマートテレビ、エアコン、テレビセットトップボックス、スマートカメラ、スマートランプ、スマートコンセントおよび浄水器等のオプション４２が含まれている。ユーザは、サブオプション４２ａをクリックすると、空気清浄機のモード情報設定インターフェース４３に入ることができる。
【００４５】
ステップＳ４０２では、ユーザ端末は、モード情報設定インターフェースにおいて設定された異なる各種別のスマート機器の作業モード情報を受信し、ユーザによって設定された異なる各種別のスマート機器の作業モードを記録する。
【００４６】
図４Ｂに示すように、ユーザは、設定インターフェース４３において関連するモード情報を設定してもよい。例えば、ユーザは、空気清浄機のモード情報設定インターフェース４３中の設定領域４３ａにおいてＰＭ２．５閾値を設定し、設定領域４３ｂにおいて清浄時間を設定し、設定領域４３ｃにおいて清浄レベルを設定してもよい。設定完了後、ユーザは、確定キー４４をクリックして、設定された作業モード情報を保存し、空気清浄機の作業モードを記録してもよい。例えば、図４Ｂ中の設定により、ユーザ端末に記録された空気清浄機の作業モードは、以下のようになる。ＰＭ２．５が１００ｍｇ／ｍ３を超えると、空気清浄機能をオンにし、清浄時間が２時間であり、清浄レベルが３である。類似的に、ユーザは、メインインターフェース４１中のサブオプション４２ｂをクリックすることで、スマートテレビのモード情報設定インターフェースに入って対応機器種別をスマートテレビの作業モード情報として設定してもよいし、サブオプション４２ｃをクリックすることで、エアコンのモード情報設定インターフェースに入って対応機器種別をエアコンの作業モード情報として設定してもよい。他も類似する。
【００４７】
ステップＳ４０３では、ユーザ端末は、ユーザによって設定された異なる各種別のスマート機器の作業モード情報をサーバへ送信する。
【００４８】
ステップＳ４０４では、サーバは、ユーザ端末から送信された、異なる各種別のスマート機器の作業モード情報を受信して記憶する。
【００４９】
ユーザが各種のスマート機器に対応する作業モード情報設定インターフェースにおいて設定完了して確定をクリックした後、ユーザ端末は、当該ユーザによって設定された各種のスマート機器の作業モード情報をサーバにアップロードして記録させる。
【００５０】
ステップＳ４０５では、ユーザ端末は、スマート機器の作業モードを設定する旨の指令をサーバへ送信する。
【００５１】
ユーザ端末がある制御機器にアクセスされ、または、ユーザが当該ユーザ端末の特定のＡＰＰにおいてある制御機器を選択した後、ユーザは、当該特定のＡＰＰのメインインターフェースにおいて「作業モードのワンタッチ設定」キーをクリックしてもよい。その際、ユーザ端末は、当該制御機器の識別子、例えば、ＭＡＣ（Ｍｅｄｉａ  Ａｃｃｅｓｓ  Ｃｏｎｔｒｏｌ、媒体アクセス制御）アドレスを、スマート機器の作業モードを設定する旨の指令に含めてサーバへ送信してもよい。
【００５２】
ステップＳ４０６では、サーバは、当該制御機器に接続された各スマート機器を検索する。
【００５３】
好ましくは、サーバは、機器検索要求を制御機器へ送信してもよい。制御機器は、当該検索要求を受信した後、制御機器に接続された各スマート機器の識別子をサーバへ送信する。
【００５４】
ステップＳ４０７では、サーバは、検索結果に基づいて１グループの作業モード情報を生成する。
【００５５】
サーバは、受信された各スマート機器の識別子に基づいて制御機器に接続されたスマート機器の種別を特定し、制御機器に接続された各スマート機器の種別に対応する作業モード情報を１グループの作業モード情報として統合する。
【００５６】
例えば、サーバは、制御機器に接続された各スマート機器を検索した後、制御機器に接続されたスマート機器の種別に応じて１グループの作業モード情報を生成し、ステップＳ４０１およびＳ４０２においてユーザによって設定された各スマート機器種別に対応する作業モード情報のうち、制御機器に接続されたスマート機器の種別に対応する作業モード情報を１グループとして統合してもよい。例えば、制御機器には、空気清浄機、エアコンおよびスマートカメラの３つのスマート機器が接続されている。ユーザは、ステップＳ４０１およびステップＳ４０２において空気清浄機、スマートテレビおよびエアコンの３種のスマート機器の作業モード情報をを設定した。その際、サーバは、空気清浄機およびエアコンの２種の機器種別に対応する作業モード情報を１グループの作業モード情報として統合する。
【００５７】
ステップＳ４０８では、サーバは、その１グループの作業モード情報を含む制御指令を制御機器へ送信する。
【００５８】
ステップＳ４０９では、制御機器は、サーバから送信された制御指令を受信する。
【００５９】
ステップＳ４１０では、制御機器は、目標スマート機器の作業モードを設定する権限を持っているか否かを検出し、そうであれば、作業モード情報に基づいて目標スマート機器の作業モードを設定する。
【００６０】
ただし、目標スマート機器は、ＬＡＮを介して当該制御機器に接続されているスマート機器である。
【００６１】
好ましくは、実施例において、スマート機器の所有者は、当該スマート機器が作業モードのワンタッチ設定をサポートするか否かを設定することができる。当該スマート機器が作業モードのワンタッチ設定をサポートしないことを当該スマート機器の所有者によって設定された場合、制御機器は、当該スマート機器の作業モードを設定する権限を有さない。したがって、制御機器は、サーバから送信された制御指令を受信した後、まず、目標スマート機器の作業モードを設定する権限を持っているか否かを検出する。目標スマート機器の作業モードを設定する権限を持っている場合、制御機器は、対応する作業モード情報を当該目標スマート機器へ送信し、目標スマート機器は、対応する作業モード情報に基づいて自分の作業モードを自動的に設定してもよい。
【００６２】
好ましくは、制御機器が目標スマート機器の作業モードを設定する権限を持っているか否かを検出するステップは、ステップＳ４０６において実施されてもよい。すなわち、サーバが当該制御機器に接続された各スマート機器を検索する際、制御機器は、接続されている各スマート機器のうちのどられの機器についてその作業モードを設定する権限を持っているかを検出し、且つその作業モードを設定する権限を持っているスマート機器のみの識別子をサーバへ返信してもよい。
【００６３】
上記実施例では、スマート機器の所有者は、スマート機器が作業モードのワンタッチ設定をサポートするか否かを設定することができ、サポートしないと設定すれば、誰も当該スマート機器に対して作業モードのワンタッチ設定を行うことができない。好ましくは、スマート機器の所有者は、スマート機器が自身を含む一部のユーザの作業モードのワンタッチ設定をサポートすると設定してもよい。例えば、スマート機器の所有者がスマート機器の作業モードのワンタッチ設定の権限を友人と共有すれば、当該スマート機器の所有者および共有先の友人は、当該スマート機器に対して作業モードのワンタッチ設定を行う権限を有する。実際の応用では、サーバから送信された制御指令にユーザ端末の識別子も含まれている。制御機器は、当該ユーザ端末の識別子に対応するユーザが当該スマート機器に対して作業モードのワンタッチ設定を行う権限を有すると検出した場合こそ、作業モード情報に基づいて目標スマート機器の作業モードを設定する。そうでなければ、設定しない。または、当該検出手順は、サーバによって実施されてもよい。つまり、サーバは、当該ユーザ端末の識別子に対応するユーザが制御端末に接続された目標スマート機器に対して作業モードのワンタッチ設定を行う権限を有すると検出した場合こそ、当該制御指令を制御機器へ送信する。
【００６４】
例えば、制御機器がルータであり、ユーザ端末がスマートフォンであることを例として、ある可能な実現シーンでは、ユーザは、ある制御スマートホーム機器のＡＰＰをスマートフォンにおいてインストールした後、ＡＰＰからスマート機器作業モード設定インターフェースを開いて、その中において空気清浄機、スマートテレビおよびエアコンの３種のスマート機器の作業モード情報を予め設定した。スマートフォンは、ユーザによって設定されたその３種のスマート機器の作業モード情報をサーバに送信して記録記憶させる。当該スマートフォンがルータにアクセスされた後、ユーザは、当該ＡＰＰを介して、ルータＭＡＣアドレスを含む、作業モードのワンタッチ設定の要求をサーバへ送信してもよい。サーバは、当該要求を受信した後、検索指令をルータへ送信する。ルータは、当該検索指令を受信すると、自分に接続されたスマート機器の識別子をサーバへ送信する。ただし、ルータに接続されたスマート機器は、空気清浄機Ａ、エアコンＢおよびスマートカメラＣを含む。サーバは、記憶された各種のスマート機器種別に対応する作業モード情報に基づいて、その中の空気清浄機ＡおよびエアコンＢが利用可能な作業モード情報を有すると特定した場合、ユーザによって設定された、空気清浄機およびエアコンの作業モード情報を１グループの作業モード情報として統合し、その１グループの作業モード情報を含む制御指令をルータへ送信する。ルータは、当該制御指令を受信し、空気清浄機ＡおよびエアコンＢに対して作業モードの設定を行う権限を持っていると検出した後、空気清浄機ＡおよびエアコンＢそれぞれの種別に対応する作業モード情報を対応する機器に送信する。空気清浄機ＡおよびエアコンＢは、作業モードの設定を自分で実施する。
【００６５】
以上のように、本発明の実施例に示すスマート機器の制御方法では、ユーザは、各種のスマート機器の作業モード情報をユーザ端末に予め設定し、サーバに記憶する。ユーザ端末は、ある制御機器にアクセスされた場合、作業モードのワンタッチ設定の指令をサーバへ送信してもよい。サーバは、制御機器にアクセスされた各スマート機器の種別の組み合わせに基づいて、１グループの作業モード情報を生成して制御機器へ送信する。制御機器は、それに接続された各スマート機器の作業モードを自動的に設定する。これにより、ユーザの設定操作が簡素化され、ユーザ体験が向上する。
【００６６】
５Ａは、別の実施例によるスマート機器の制御方法を示すフローチャートである。本実施例は、当該スマート機器の制御方法が図１に示す実施環境に適用され、且つ指令送信機器１２０がユーザ端末であることを例として説明する。当該スマート機器の制御方法は、以下の幾つかのステップを含んでもよい。
【００６７】
ステップＳ５０１では、ユーザ端末は、モード情報設定インターフェースをディスプレイする。
【００６８】
ステップＳ５０２では、ユーザ端末は、モード情報設定インターフェースにおいて設定された異なる各種別のスマート機器の作業モード情報を受信し、ユーザによって設定された異なる各種別のスマート機器の作業モードを記録する。
【００６９】
ユーザがスマート機器の作業モード情報を設定する手順は、図４Ａの対応実施例におけるステップＳ４０１およびステップＳ４０２での記述を参照すればよい。ここで繰返し説明しない。
【００７０】
ユーザ端末は、制御機器に接続された目標スマート機器の作業モードを設定する旨の指令を受信すると、既に設定された、制御機器に接続されたスマート機器の種別に対応する作業モード情報を制御機器へ送信してもよい。こうして、制御機器は、目標スマート機器の作業モードを設定する。当該手順は、以下のステップＳ５０３〜Ｓ５０７を参照すればよい。
【００７１】
ステップＳ５０３では、ユーザ端末は、制御機器に接続された各スマート機器を検索する。
【００７２】
ただし、ユーザがユーザ端末において「作業モードのワンタッチ設定」のキーをクリックした後、ユーザ端末は、制御機器に接続されたスマート機器を直接検索してもよい。ただし、ユーザが「作業モードのワンタッチ設定」のキーをクリックすることで発した指令は、上記「制御機器に接続された目標スマート機器の作業モードを設定する旨の指令」である。
【００７３】
例えば、ユーザ端末は、短距離無線方式により制御機器にアクセスした場合、無線ブロードキャストで周辺へ発信して、周辺のスマート機器が各自にアクセスしている制御機器の識別子等の情報を返信するまたは同一の制御機器にアクセスされた周辺の他のスマート機器が応答を返信するよう要求する。ユーザ端末は、周辺のスマート機器から返信された情報や応答に基づいて、どれらのスマート機器が当該制御機器にアクセスされたかを特定する。
【００７４】
または、ユーザ端末は、制御機器へ検索してもよい。例えば、ユーザ端末は、制御機器へ検索要求を送信し、制御機器は、それに接続された各スマート機器の識別子をユーザ端末へ送信する。
【００７５】
または、ユーザ端末は、サーバを介して当該制御機器へ遠隔にアクセスしてもよい。その際、ユーザ端末は、制御機器へ検索要求を送信し、制御機器は、当該検索要求に応じて、当該制御機器にアクセスされた各スマート機器の識別子等の情報をユーザ端末へ送信する。
【００７６】
ステップＳ５０４では、ユーザ端末は、検索結果に基づいて、１グループの作業モード情報を生成する。
【００７７】
ただし、ユーザ端末が１グループの作業モード情報を生成するある可能な実現形態は、図４Ａの対応実施例におけるサーバが１グループの作業モード情報を生成する手順を参照してもよい。つまり、図４Ａの対応実施例におけるステップＳ４０７以後の記述を参照すればよい。ここで繰返し説明しない。
【００７８】
別の好適な実現形態では、ユーザ端末は、機器選択インターフェースをユーザへディスプレイしてもよい。当該機器選択インターフェースには、制御機器に接続された各スマート機器の識別子が含まれている。ユーザは、その中の１つまたは複数の、その機器種別に対応付けて作業モード情報が設定されたスマート機器を目標スマート機器として選択する。好ましくは、当該機器選択インターフェースにディスプレイされた各スマート機器の識別子のうち、作業モード情報が対応付けて設定されたスマート機器の識別子は、選択可能状態であり、作業モード情報が対応付けて設定されていないスマート機器の識別子は、選択不可能状態である。また、当該機器選択インターフェースにおいて、作業モード情報が対応付けて設定されていないスマート機器の識別子は、１つの作業モード情報設定入口にそれぞれ対応する。当該作業モード情報設定入口に対する操作が検出されると、ユーザ端末は、当該作業モード情報設定入口に対応するスマート機器の作業モード設定インターフェースに入ることができる。
【００７９】
例えば、図５Ｂは、機器選択インターフェースの模式図を示す。図５Ｂに示すように、ユーザ端末は、制御機器から送信された、当該制御機器に接続された各スマート機器の識別子を受信した後、機器選択インターフェース５１をユーザへディスプレイする。当該機器選択インターフェース５１には、制御機器に接続された各スマート機器の識別子が含まれている。ただし、当該制御機器に接続されたスマート機器は、３つある。機器選択インターフェース５１において、空気清浄機５１ａ、エアコン５１ｂおよびスマートカメラ５１ｃをそれぞれディスプレイする。ただし、ユーザが空気清浄機およびエアコンの機器種別に対応する作業モード情報を設定した場合、空気清浄機５１ａ、エアコン５１ｂは、選択可能状態になる一方、スマートカメラ５１ｃは、選択不可能状態になる。ユーザが空気清浄機５１ａおよびエアコン５１ｂをクリックした後、ユーザ端末は、空気清浄機５１ａおよびエアコン５１ｂの種別に対応する作業モード情報を１グループに統合する。また、それに対応して、スマートカメラ５１ｃが１つの「設定」キー５２を有する。ユーザが当該キー５２をクリックした後、ユーザ端末は、スマートカメラのモード情報設定インターフェース（図４Ｂにおける空気清浄機のモード情報設定インターフェース４３を参照してもよい）をディスプレイし、当該スマートカメラのモード情報設定インターフェースにおいてスマートカメラの種別に対応する作業モード情報を設定してもよい。ユーザがスマートカメラの種別に対応する作業モード情報を設定した後で機器選択インターフェース５１を返信してから、当該スマートカメラ５１ｃも、選択可能状態としてディスプレイされる。
【００８０】
ステップＳ５０５では、ユーザ端末は、その１グループの作業モード情報を含む制御指令を制御機器へ送信する。
【００８１】
ステップＳ５０６では、制御機器は、ユーザ端末から送信された制御指令を受信する。
【００８２】
ただし、制御機器は、当該制御指令を直接ユーザ端末へ送信してもよいし、サーバを経由して送信してもよい。
【００８３】
ステップＳ５０７では、制御機器は、目標スマート機器の作業モードを設定する権限を持っているか否かを検出する。そうであれば、作業モード情報に基づいて目標スマート機器の作業モードを設定する。
【００８４】
ただし、目標スマート機器とは、ＬＡＮを介して当該制御機器に接続されたスマート機器を指す。
【００８５】
例えば、制御機器がルータであり、ユーザ端末がスマートフォンであることを例として、ある可能な実現シーンでは、ユーザは、ある制御スマートホーム機器のＡＰＰをスマートフォンにインストールした後、ＡＰＰからスマート機器作業モード設定インターフェースを開いて、その中において空気清浄機、スマートテレビおよびエアコンの機器種別に対応する作業モード情報を予め設定した。当該スマートフォンがルータにアクセスされた後、ユーザは、当該ＡＰＰにおいて「作業モードのワンタッチ設定」のキーをクリックしてもよい。その後、スマートフォンは、ルータに接続された各スマート機器を検索する。ただし、ルータに接続されたスマート機器は、空気清浄機Ａ、エアコンＢおよびスマートカメラＣを含む。スマートフォンは、ユーザによって予め設定された各種の機器種別に対応する作業モード情報に基づいて、その中空気清浄機ＡおよびエアコンＢに対応する利用可能な作業モード情報を有すると特定した場合、ユーザによって設定された、空気清浄機およびエアコンの作業モード情報を１グループの作業モード情報として統合し、その１グループの作業モード情報を含む制御指令をルータへ送信する。ルータは、当該制御指令を受信し、空気清浄機ＡおよびエアコンＢに対して作業モード設定を行う権限を持っていると検出した後、空気清浄機ＡおよびエアコンＢそれぞれの機器種別に対応する作業モード情報を対応する機器へ送信する。空気清浄機ＡおよびエアコンＢは、作業モードの設定を自分で実施する。好ましくは、スマートフォンは、ルータに接続された各スマート機器を検索した後、ルータに接続された各スマート機器の識別子を機器選択インターフェースにディスプレイしてもよい。こうして、ユーザは、空気清浄機ＡおよびエアコンＢのうちの１つや２つをその中から選択して作業モード情報の統合を行う。なお、ユーザは、機器選択インターフェースからスマートカメラＣのモード情報設定インターフェースに入ってその作業モード情報を設定してもよい。
【００８６】
以上のように、本発明の実施例に示すスマート機器の制御方法では、ユーザは、各種のスマート機器種別に対応する作業モード情報をユーザ端末に予め設定する。ユーザ端末は、ある制御機器にアクセスされた場合、制御機器にアクセスされた各スマート機器を検索し、制御機器にアクセスされた各スマート機器の種別の組み合わせに基づいて、１グループの作業モード情報を生成して制御機器へ送信する。制御機器は、それに接続された各スマート機器の作業モードを自動的に設定する。これにより、ユーザの設定操作が簡素化され、ユーザ体験が向上する。
【００８７】
本発明の方法実施例を実行可能な本発明の装置実施例を以下に示す。本発明の装置実施例に開示されていない詳細は、本発明の方法実施例を参照すればよい。
【００８８】
図６は、一実施例によるスマート機器の制御装置を示すブロック図である。本実施例は、当該スマート機器の制御装置が図１に示す実施環境における制御機器１１０に適用されることを例として説明する。当該スマート機器の制御装置は、第１指令受信モジュール６１０および制御モジュール６２０を備えてもよい。
【００８９】
第１指令受信モジュール６１０は、１グループの作業モード情報を含む、指令送信機器から送信された制御指令を受信するように構成される。ただし、各種別のスマート機器は、１つの作業モード情報に対応し、当該１グループの作業モード情報は、少なくとも１種別のスマート機器の作業モード情報を含み、作業モード情報は、予め指令送信機器に記憶された情報である。
【００９０】
制御モジュール６２０は、その１グループの作業モード情報に基づいて目標スマート機器の作業モードを設定するように構成される。目標スマート機器は、ＬＡＮを介して制御機器に接続されているスマート機器である。
【００９１】
以上のように、本発明の実施例に示すスマート機器の制御装置では、１グループの作業モード情報を含む、指令送信機器から送信された制御指令を制御機器が受信し、当該１グループの作業モード情報が少なくとも１種別のスマート機器の作業モード情報を含み、制御機器が、当該１グループの作業モード情報に基づいて、ＬＡＮを介して当該制御機器に接続された目標スマート機器の作業モードを設定し、作業モード情報が指令送信機器に予め記憶されたため、ユーザがスマート機器の作業モードを設定しようとするとき、関連する制御指令を指令送信機器を介して制御機器へ送信するだけで、制御機器は、作業モードの設定を自動的に実施できる。これにより、ユーザの設定操作が簡素化され、ユーザ体験が向上する。
【００９２】
図７は、別の実施例によるスマート機器の制御装置を示すブロック図である。本実施例は、当該スマート機器の制御装置が図１に示す実施環境における制御機器１１０に適用されることを例として説明する。当該スマート機器の制御装置は、第１指令受信モジュール６１０および制御モジュール６２０を備えてもよい。
【００９３】
第１指令受信モジュール６１０は、１グループの作業モード情報を含む、指令送信機器から送信された制御指令を受信するように構成される。ただし、各種別のスマート機器は、１つの作業モード情報に対応し、当該１グループの作業モード情報は、少なくとも１種別のスマート機器の作業モード情報を含み、作業モード情報は、予め指令送信機器に記憶された情報である。
【００９４】
制御モジュール６２０は、その１グループの作業モード情報に基づいて目標スマート機器の作業モードを設定するように構成される。目標スマート機器は、ＬＡＮを介して制御機器に接続されているスマート機器である。
【００９５】
好ましくは、当該装置は、機器検索モジュール６３０および識別子送信モジュール６４０をさらに備える。
【００９６】
機器検索モジュール６３０は、１グループの作業モード情報を含む、指令送信機器から送信された制御指令が第１指令受信モジュール６１０によって受信される前に、制御機器に接続された各スマート機器を検索するように構成される。
【００９７】
識別子送信モジュール６４０は、制御機器に接続された各スマート機器の識別子を指令送信機器へ送信するように構成される。
【００９８】
好ましくは、当該装置は、権限検出モジュール６５０をさらに備える。
【００９９】
権限検出モジュール６５０は、制御モジュール６２０が作業モード情報に基づいて目標スマート機器の作業モードを設定する前に、制御機器が目標スマート機器の作業モードを設定する権限を持っているか否かを検出するように構成される。
【０１００】
制御モジュール６２０は、さらに、制御機器が目標スマート機器の作業モードを設定する権限を持っていることが権限検出モジュール６５０によって検出されると、作業モード情報に基づいて目標スマート機器の作業モードを設定するように構成される。
【０１０１】
好ましくは、制御機器は、ルータであり、指令送信機器は、サーバまたはユーザ端末である。
【０１０２】
以上のように、本発明の実施例に示すスマート機器の制御装置では、１グループの作業モード情報を含む、指令送信機器から送信された制御指令を制御機器が受信し、当該１グループの作業モード情報が少なくとも１種別のスマート機器の作業モード情報を含み、制御機器が、当該１グループの作業モード情報に基づいて、ＬＡＮを介して当該制御機器に接続された目標スマート機器の作業モードを設定し、作業モード情報が指令送信機器に予め記憶されたため、ユーザがスマート機器の作業モードを設定しようとするとき、関連する制御指令を指令送信機器を介して制御機器へ送信するだけで、制御機器は、作業モードの設定を自動的に実施できる。これにより、ユーザの設定操作が簡素化され、ユーザ体験が向上する。
【０１０３】
図８は、一実施例によるスマート機器の制御装置を示すブロック図である。本実施例は、当該スマート機器の制御方法が上記図１に示す実施環境における指令送信機器１２０に適用されることを例として説明する。当該スマート機器の制御装置は、第２指令受信モジュール８１０および指令送信モジュール８２０を備えてもよい。
【０１０４】
第２指令受信モジュール８１０は、スマート機器の作業モードを設定する旨の指令を受信するように構成される。
【０１０５】
指令送信モジュール８２０は、制御機器が１グループの作業モード情報に基づいて目標スマート機器の作業モードを設定するように、その１グループの作業モード情報を含む制御指令を制御機器へ送信するように構成される。ただし、各種別のスマート機器は、１つの作業モード情報に対応し、当該１グループの作業モード情報は、少なくとも１種別のスマート機器の作業モード情報を含み、目標スマート機器は、ＬＡＮを介して制御機器に接続されたスマート機器である。
【０１０６】
以上のように、本発明の実施例に示すスマート機器の制御装置では、指令送信機器が１グループの作業モード情報を含む制御指令を制御機器へ送信し、当該１グループの作業モード情報が少なくとも１種別のスマート機器の作業モード情報を含み、制御機器が、当該１グループの作業モード情報に基づいて、ＬＡＮを介して当該制御機器に接続された目標スマート機器の作業モードを設定し、作業モード情報が指令送信機器に予め記憶されたため、ユーザがスマート機器の作業モードを設定しようとするとき、関連する制御指令を指令送信機器を介して制御機器へ送信するだけで、制御機器は、作業モードの設定を自動的に実施できる。これにより、ユーザの設定操作が簡素化され、ユーザ体験が向上する。
【０１０７】
図９は、別の実施例によるスマート機器の制御装置を示すブロック図である。本実施例は、当該スマート機器の制御方法が上記図１に示す実施環境における指令送信機器１２０に適用されることを例として説明する。当該スマート機器の制御装置は、第２指令受信モジュール８１０および指令送信モジュール８２０を備えてもよい。
【０１０８】
第２指令受信モジュール８１０は、スマート機器の作業モードを設定する旨の指令を受信するように構成される。
【０１０９】
指令送信モジュール８２０は、制御機器が１グループの作業モード情報に基づいて目標スマート機器の作業モードを設定するように、その１グループの作業モード情報を含む制御指令を制御機器へ送信するように構成される。ただし、各種別のスマート機器は、１つの作業モード情報に対応し、当該１グループの作業モード情報は、少なくとも１種別のスマート機器の作業モード情報を含み、目標スマート機器とは、ＬＡＮを介して制御機器に接続されているスマート機器を指す。
【０１１０】
好ましくは、当該装置は、インターフェースディスプレイモジュール８３０および情報受信モジュール８４０をさらに備える。
【０１１１】
インターフェースディスプレイモジュール８３０は、目標スマート機器の作業モードを設定する旨の指令が第２指令受信モジュールによって受信される前に、モード情報設定インターフェースをディスプレイするように構成される。
【０１１２】
情報受信モジュール８４０は、モード情報設定インターフェースにおいて設定された異なる各種別のスマート機器の作業モード情報を受信し、ユーザによって設定された異なる各種別のスマート機器の作業モードを記録するように構成される。
【０１１３】
好ましくは、当該装置は、識別子受信モジュール８５０および機器特定モジュール８６０をさらに備える。
【０１１４】
識別子受信モジュール８５０は、目標スマート機器の作業モード情報を含む制御指令が指令送信モジュールから制御機器へ送信される前に、制御機器から送信された、制御機器に接続された各スマート機器の識別子を受信するように構成される。
【０１１５】
種別特定モジュール８６０は、識別子受信モジュール８５０から受信された各スマート機器の識別子に基づいて、制御機器に接続されたスマート機器の種別を特定するように構成される。
【０１１６】
情報統合モジュール８７０は、制御機器に接続された各スマート機器の種別に対応する作業モード情報を１グループの作業モード情報として統合するように構成される。
【０１１７】
以上のように、本発明の実施例に示すスマート機器の制御装置では、指令送信機器が１グループの作業モード情報を含む制御指令を制御機器へ送信し、当該１グループの作業モード情報が少なくとも１種別のスマート機器の作業モード情報を含み、制御機器が、当該１グループの作業モード情報に基づいて、ＬＡＮを介して当該制御機器に接続された目標スマート機器の作業モードを設定し、作業モード情報が指令送信機器に予め記憶されたため、ユーザがスマート機器の作業モードを設定しようとするとき、関連する制御指令を指令送信機器を介して制御機器へ送信するだけで、制御機器は、作業モードの設定を自動的に実施できる。これにより、ユーザの設定操作が簡素化され、ユーザ体験が向上する。
【０１１８】
説明すべきことは、上記実施例に供される装置がスマート機器の制御を実現する際、単に上記各機能モジュールの区分を例として説明したが、実際の応用において、必要に応じて上記機能を異なる機能モジュールに割り当てて実施させてもよい。つまり、機器の内部構造を異なる機能モジュールに分けて、上述した全部または一部の機能を実現させてもよい。
【０１１９】
上記実施例の装置における各モジュールが操作を実行する具体的な方式が当該方法に関する実施例において詳細に記述されたため、ここで詳細に説明しない。
【０１２０】
本発明の一実施例は、さらに、本発明に供されるスマート機器の制御方法を実現可能なスマート機器の制御装置を提供する。当該装置は、プロセッサと、プロセッサの実行可能な指令を記憶するためのメモリとを備える。
【０１２１】
好ましくは、プロセッサは、
１グループの作業モード情報を含む、指令送信機器から送信された制御指令を受信し、
その１グループの作業モード情報に基づいて目標スマート機器の作業モードを設定するように構成され、
各種別のスマート機器は、１つの作業モード情報に対応し、当該１グループの作業モード情報は、少なくとも１種別のスマート機器の作業モード情報を含み、作業モード情報は、予め指令送信機器に記憶された情報であり、目標スマート機器は、ＬＡＮを介して制御機器に接続されたスマート機器である。
【０１２２】
好ましくは、プロセッサは、さらに、
１グループの作業モード情報を含む、指令送信機器から送信された制御指令を受信する前に、制御機器に接続された各スマート機器を検索し、
制御機器に接続された各スマート機器の識別子を指令送信機器へ送信するように構成される。
【０１２３】
好ましくは、プロセッサは、さらに、
作業モード情報に基づいて目標スマート機器の作業モードを設定する前に、制御機器が目標スマート機器の作業モードを設定する権限を持っているか否かを検出し、
制御機器が目標スマート機器の作業モードを設定する権限を持っている場合、作業モード情報に基づいて目標スマート機器の作業モードを設定するように構成される。
【０１２４】
ただし、制御機器は、ルータであり、指令送信機器は、サーバまたはユーザ端末である。
【０１２５】
本発明の一実施例は、さらに、本発明に供されるスマート機器の制御方法を実現可能なスマート機器の制御装置を提供する。当該装置は、プロセッサと、プロセッサの実行可能な指令を記憶するためのメモリとを備える。
【０１２６】
プロセッサは、
スマート機器の作業モードを設定する旨の指令を受信し、
制御機器が１グループの作業モード情報に基づいて目標スマート機器の作業モードを設定するように、その１グループの作業モード情報を含む制御指令を制御機器へ送信するように構成され、
各種別のスマート機器は、１つの作業モード情報に対応し、前記１グループの作業モード情報は、少なくとも１種別のスマート機器の作業モード情報を含み、目標スマート機器は、ＬＡＮを介して制御機器に接続されたスマート機器である。
【０１２７】
好ましくは、プロセッサは、さらに、
目標スマート機器の作業モードを設定する旨の指令を受信する前に、モード情報設定インターフェースをディスプレイし、
モード情報設定インターフェースにおいて設定された異なる各種別のスマート機器の作業モード情報を受信し、ユーザによって設定された異なる各種別のスマート機器の作業モードを記録するように構成される。
【０１２８】
好ましくは、プロセッサは、さらに、
制御機器から送信された、制御機器に接続された各スマート機器の識別子を受信し、
受信された各スマート機器の識別子に基づいて前記制御機器に接続されたスマート機器の種別を特定し、
制御機器に接続された各スマート機器の種別に対応する作業モード情報を１グループの作業モード情報として統合するように構成される。
【０１２９】
ただし、制御機器は、ルータであり、指令送信機器は、サーバまたはユーザ端末である。
【０１３０】
図１０は、一実施例による装置１０００を示すブロック図である。例えば、装置１０００は、携帯電話、コンピュータ、デジタル放送端末、メッセージ送受信機器、ゲームコンソール、タブレットデバイス、医療設備、フィットネス機器、ＰＤＡなどであってもよい。
【０１３１】
図１０を参照すると、装置１０００は、処理ユニット１００２、メモリ１００４、電源ユニット１００６、マルチメディアユニット１００８、オーディオユニット１０１０、入力／出力（Ｉ／Ｏ）インターフェース１０１２、センサユニット１０１４、および、通信ユニット１０１６のうちの１つまたは複数を含んでもよい。
【０１３２】
処理ユニット１００２は、通常は、表示、電話発呼、データ通信、カメラ操作および記録操作に関連する操作のような、装置１０００の全般操作を制御する。処理ユニット１００２は、上記方法の全部または一部のステップを実施させるように、指令を実行するための１つまたは複数のプロセッサ１０２０を含んでもよい。また、処理ユニット１００２は、処理ユニット１００２と他のユニットとの間の相互作用を容易にするように、１つ又は複数のモジュールを含んでもよい。例えば、処理ユニット１００２は、マルチメディアユニット１００８と処理ユニット１００２との間の相互作用を容易にするように、マルチメディアモジュールを含んでもよい。
【０１３３】
メモリ１００４は、各タイプのデータを記憶して装置１０００での操作をサポートするように構成される。これらのデータの例示は、装置１０００で操作するための任意のアプリケーションもしくは方法の指令、連絡先データ、電話帳データ、メッセージ、ピクチャ、ビデオなどを含む。メモリ１００４は、如何なる種別の揮発性もしくは不揮発性記憶装置またはそれらの組合せで実現されてもよい。例えば、スタティックランダムアクセスメモリ（ＳＲＡＭ）、電気的に消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスクまたは光ディスクであってもよい。
【０１３４】
電源ユニット１００６は、装置１０００のユニットのそれぞれに電力を供給する。電源ユニット１００６は、電源管理システム、１つまたは複数の電源、並びに、装置１０００用の電力を生成、管理および配分するに関する他のユニットを含んでもよい。
【０１３５】
マルチメディアユニット１００８は、前記装置１０００とユーザとの間に１つの出力インターフェースを供給するスクリーンを含む。一部の実施例では、スクリーンは、液晶ディスプレイ（ＬＣＤ）およびタッチパネル（ＴＰ）を含んでもよい。スクリーンは、タッチパネルを含む場合、ユーザからの入力信号を受信するように、タッチスクリーンとして実現されてもよい。タッチパネルは、タッチ、スライドおよびタッチパネルでのジェスチャを感知するように、１つまたは複数のタッチセンサを含む。前記タッチセンサは、タッチあるいはスライド動作の境界を感知するだけではなく、タッチあるいはスライド操作と関連する継続時間および圧力をさらに検出することができる。一部の実施例では、マルチメディアユニット１００８は、１つのフロントカメラおよび／またはバックカメラを含む。装置１０００が操作モード、例えば、撮影モードあるいはビデオモードであるとき、フロントカメラおよび／またはバックカメラは、外部のマルチメディアデータを受信することができる。フロントカメラおよびバックカメラのそれぞれは、１つの固定の光学レンズシステムであってもよいし、焦点距離および光学ズーム能力を有するものであってもよい。
【０１３６】
オーディオユニット１０１０は、オーディオ信号を出力および／または入力するように構成される。例えば、オーディオユニット１０１０は、マイク（ＭＩＣ）を備え、オーディオ出力機器１０００が操作モード、例えば、発呼モード、記録モードおよび音声識別モードであるとき、マイクは、外部オーディオ信号を受信するように構成される。受信されたオーディオ信号は、さらに、メモリ１００４に格納される、または、通信ユニット１０１６を介して送信されることができる。一部の実施例では、オーディオユニット１０１０は、オーディオ信号を出力するためのスピーカをさらに備える。
【０１３７】
Ｉ／Ｏインターフェース１０１２は、処理ユニット１００２とペリフェラルインターフェースモジュールとの間でインターフェースを供給するものであり、上記ペリフェラルインターフェースモジュールは、キーボード、クリックホイール、ボタンなどであってもよい。これらのボタンには、ホームページボタン、ボリュームボタン、起動ボタンおよびロックボタンが含まれてもよいが、それらに限定されない。
【０１３８】
センサユニット１０１４は、様々な側面での状態推定を装置１０００に供給するための１つまたは複数のセンサを含む。例えば、センサユニット１０１４は、装置１０００のオン／オフ状態、ユニットの相対位置を検出することができ、ユニットは、例えば、装置１０００のディスプレイおよびキーパッドである。センサユニット１０１４は、さらに、装置１０００もしくは装置１０００の１つのユニットの位置変更、ユーザと装置１０００との接触の存在もしくは非存在、装置１０００の方位もしくは加速／減速および装置１０００の温度変化をさらに検出することができる。センサユニット１０１４は、如何なる物理的接触もないとき、近辺にある物体の存在を検出するための近接センサを含んでもよい。センサユニット１０１４は、さらに、イメージングアプリケーションに使用される光センサ、例えばＣＭＯＳまたはＣＣＤ画像センサを含んでもよい。一部の実施例では、当該センサユニット１０１４は、さらに、加速度センサ、ジャイロセンサ、磁気センサ、圧力センサ、または温度センサを含んでもよい。
【０１３９】
通信ユニット１０１６は、装置１０００と他の機器間の無線または有線方式の通信ができるように構成される。装置１０００は、通信規格に基づく無線ネットワーク、例えば、ＷｉＦｉ、２Ｇもしくは３Ｇなどの通信規格、またはそれらの組合せに基づく無線ネットワークにアクセスすることができる。ある実施例では、通信ユニット１０１６は、外部ブロードキャスト管理システムからのブロードキャスト信号またはブロードキャスト関連情報をブロードキャストチャネルを介して受信する。ある実施例では、通信ユニット１０１６は、さらに、短距離通信を容易にするように、ニアフィールド通信（ＮＦＣ）モジュールを含む。例えば、ＮＦＣモジュールは、無線周波数識別（ＲＦＩＤ）技術、赤外線データ協会（ＩｒＤＡ）技術、超広帯域（ＵＷＢ）技術、ブルートゥース（登録商標）（ＢＴ）技術および他の技術によって実現されてもよい。
【０１４０】
実施例では、装置１０００は、上記方法を実行するための１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子部品によって実現されてもよい。
【０１４１】
実施例では、指令を含む非一時的コンピュータ読み取り可能な記憶媒体、例えば、指令を含むメモリ１００４をさらに提供し、上記指令が装置１０００のプロセッサ１０２０によって実行されることで上記方法を実施させることができる。例えば、前記非一時的コンピュータ読み取り可能な記憶媒体は、ＲＯＭ、ランダムアクセスメモリ（ＲＡＭ）、ＣＤ−ＲＯＭ、磁気テープ、フロッピーディスクおよび光データ記憶機器などであってもよい。
【０１４２】
非一時的コンピュータ読み取り可能な記憶媒体を提供する。前記記憶媒体における指令が装置１０００のプロセッサによって実行されるとき、装置１０００は、上記図３、図４Ａまたは図５Ａにおけるユーザ端末によって実行される方法の全部または一部のステップを実行可能である。
【０１４３】
図１１は、一実施例による装置１１００を示すブロック図である。例えば、装置１１００は、サーバとして提供されてもよい。図１１を参照すると、装置１１００は、処理ユニット１１２２を含み、さらに１つまたは複数のプロセッサ、およびメモリ１１３２に代表されるメモリ資源を含む。当該メモリ資源は、処理ユニット１１２２の実行可能な指令、例えばアプリケーションプログラムを記憶する。メモリ１１３２に記憶されたアプリケーションプログラムは、１グループの指令に対応する各モジュールを１つまたは複数を含んでもよい。また、処理ユニット１１２２は、指令を実行することで、上記図２、図４Ａまたは図５Ａにおける制御機器若しくはサーバによって実行される方法の全部若しくは一部のステップを実行するように構成される。
【０１４４】
装置１１００は、さらに、装置１１００の電源管理を実行するように構成される電源ユニット１１２６と、装置１１００をネットワークに接続するように構成される有線あるいは無線ネットワークインターフェース１１５０と、入力／出力（Ｉ／Ｏ）インターフェース１１５８とを備えてもよい。装置１１００は、メモリ１１３２に記憶されたオペレーティングシステム、例えば、Ｗｉｎｄｏｗｓ（登録商標）  ＳｅｒｖｅｒＴＭ、Ｍａｃ  ＯＳ  ＸＴＭ、Ｕｎｉｘ（登録商標）ＴＭ、Ｌｉｎｕｘ（登録商標）ＴＭ、ＦｒｅｅＢＳＤＴＭなどを操作することができる。
【０１４５】
当業者は、明細書を考慮し、ここに公開された発明を実践した後、本発明の他の実施案を容易に想到する。本願は、本発明の如何なる変形、用途または適合もカバーすることを意図する。これらの変形、用途または適合は、本発明の一般的な仕組みに従い、かつ、本発明に公開されていない当分野における公知常識または慣用技術手段を含む。明細書および実施例は単なる例示と見なされ、本発明の本当の範囲および思想は添付する特許請求の範囲によって与えられる。
【０１４６】
本発明が以上で記載され、且つ図面に示された正確な構造に限定されるものでなく、その要旨を逸脱しない範囲で様々な補正や変更も可能であることは理解されるべきである。本発明の範囲は、添付する特許請求の範囲のみによって限定される。
【０１４７】
本願は、出願番号が２０１５１０７９２１１４．９であり、出願日が２０１５年１１月１７日である中国特許出願に基づいて優先権を主張する。当該中国特許出願の全ての内容は、ここに参考として引用される。
【図１】
2017538298.tif 000003
【図２】
2017538298.tif 000004
【図３】
2017538298.tif 000005
【図４Ａ】
2017538298.tif 000006
【図４Ｂ】
2017538298.tif 000007
【図５Ａ】
2017538298.tif 000008
【図５Ｂ】
2017538298.tif 000009
【図６】
2017538298.tif 000010
【図７】
2017538298.tif 000011
【図８】
2017538298.tif 000012
【図９】
2017538298.tif 000013
【図１０】
2017538298.tif 000014
【図１１】
2017538298.tif 000015
【国際調査報告】
2017538298.tif 000016
2017538298.tif 000017
2017538298.tif 000018
2017538298.tif 000019